(57)【要約】【課題】小型化することができる交換レンズ収納ケース、キャップおよび交換レンズ収納ケースシステムを提供する。【解決手段】レンズ収容ケース２は、交換レンズ４００をケース本体部１００に収容する場合、交換レンズ４００の一端部４２０を第１の蓋部材５００の受け部５１０の開口部５１１に挿入させ、かつ、マウントキャップ６００と交換レンズ４００とによって第１の蓋部材５００の受け部５１０を挟み込んだ状態でキャップ６００を交換レンズ４００の一端部４２０に装着することによって、交換レンズ４００を第１の蓋部材５００の受け部５１０に固定する。【選択図】図３
2020046515.tif 000002
【特許請求の範囲】
【請求項１】
交換レンズの一端部に装着されるキャップを用いて、前記交換レンズを収容する交換レンズ収容ケースであって、
ケース本体部と、
前記交換レンズの一端部が貫通する開口部と、該開口部の外周部に設けられていて前記交換レンズに押圧固定される受け部と、が形成されており、前記ケース本体部の開口部に位置決め固定される第１の蓋部材と、
を備え、
前記キャップを前記交換レンズに固定する際に、前記受け部が前記交換レンズと前記キャップとで挟み込まされるようにして固定される、
交換レンズ収容ケース。
【請求項２】
請求項１に記載の交換レンズ収容ケースであって、
前記第１の蓋部材は、前記ケース本体部に位置決めされるための位置決め部を有する、
交換レンズ収容ケース。
【請求項３】
請求項１に記載の交換レンズ収容ケースであって、
前記ケース本体部に前記第１の蓋部材を固定する第２の蓋部材をさらに備え、
前記第１の蓋部材は、前記交換レンズを宙づり状態で固定する、
交換レンズ収容ケース。
【請求項４】
請求項１〜３のいずれか一つに記載の交換レンズ収容ケースであって、
前記第１の蓋部材は、前記キャップをガイドするとともに、回転止めを行うリブが設けられる、
交換レンズ収容ケース。
【請求項５】
請求項１〜４のいずれか一つに記載の交換レンズ収容ケースであって、
前記ケース本体部の底面部と前記交換レンズの他端側との間に配置した緩衝部材をさらに備える、
交換レンズ収容ケース。
【請求項６】
請求項５に記載の交換レンズ収容ケースであって、
前記緩衝部材は、前記ケース本体部の底面部と前記交換レンズの他端部との間の寸法に基づいて、所定量折りたたむことによって寸法を可変とする形状をなす、
交換レンズ収容ケース。
【請求項７】
交換レンズを収容することができるケース本体部と、
前記交換レンズの一端部に対して装着自在なキャップと、
前記キャップを内部で収容することができ、かつ、前記ケース本体部の開口部に対して着脱自在な第１の蓋部材と、
前記ケース本体部に設けられ、前記第１の蓋部材に向けて前記交換レンズを付勢する緩衝部材と、
を備える、
交換レンズ収納ケース。
【請求項８】
円環状をなし、交換レンズの一端部に対して嵌合する円環部と、
前記円環部の外径より大きい外径を有する本体部と、
を備え、
前記本体部は、前記交換レンズを収容することができるケース本体部の開口部に対して着脱自在な第１の蓋部材に設けられた位置決め部であって、前記本体部を所定の位置へガイドし、かつ、前記本体部の回転止めを行うリブに嵌合する溝部を有する、
キャップ。
【請求項９】
撮像装置に着脱自在な交換レンズと、
前記交換レンズの一端部に装着されるキャップを用いて、前記交換レンズを収容する交換レンズ収容ケースシステムであって、
ケース本体部と、
前記交換レンズの一端部が貫通する開口部と、該開口部の外周部に設けられていて前記交換レンズに押圧固定される受け部と、が形成されており、前記ケース本体部の開口部に位置決め固定される第１の蓋部材と、
を備え、
前記キャップを前記交換レンズに固定する際に、前記受け部が前記交換レンズと前記キャップとで挟み込まされるようにして固定される、
交換レンズ収納ケースシステム。
【発明の詳細な説明】
【技術分野】
【０００１】
本開示は、交換レンズを収容する交換レンズ収納ケース、キャップおよび交換レンズ収納ケースシステムに関する。
【背景技術】
【０００２】
従来、撮像装置に対して着脱自在な交換レンズのレンズ収納ケースでは、筒状のケース本体の開口部を閉じる蓋に、ケース本体の開口部に着脱自在に取り付けられる環状の蓋本体と、この蓋本体の円形開口部に着脱自在に取り付けられるとともに交換レンズに取り付けられるレンズキャップとを設けることによって、交換レンズからレンズキャップを取り外す際の手間の簡略化を行っている（特許文献１参照）。
【先行技術文献】
【特許文献】
【０００３】
【特許文献１】特許第３９０３５９５号公報
【発明の概要】
【発明が解決しようとする課題】
【０００４】
しかしながら、上述した特許文献１では、レンズキャップに２つの嵌合部を設けているので、レンズキャップとキャップを取り付けるフタが複雑化し、全体として大型化してしまう問題点があった。
【０００５】
本開示は、上記に鑑みてなされたものであって、小型化することができる交換レンズ収納ケース、キャップおよびレンズ収納ケースシステムを提供することを目的とする。
【課題を解決するための手段】
【０００６】
上述した課題を解決し、目的を達成するために、本開示に係る交換レンズ収納ケースは、交換レンズの一端部に装着されるキャップを用いて、前記交換レンズを収容する交換レンズ収容ケースであって、ケース本体部と、前記交換レンズの一端部が貫通する開口部と、該開口部の外周部に設けられていて前記交換レンズに押圧固定される受け部と、が形成されており、前記ケース本体部の開口部に位置決め固定される第１の蓋部材と、を備え、前記キャップを前記交換レンズに固定する際に、前記受け部が前記交換レンズと前記キャップとで挟み込まされるようにして固定される。
【０００７】
また、本開示に係る交換レンズ収納ケースは、上記開示において、前記第１の蓋部材は、前記ケース本体部に位置決めされるための位置決め部を有する。
【０００８】
また、本開示に係る交換レンズ収納ケースは、上記開示において、前記ケース本体部に前記第１の蓋部材を固定する第２の蓋部材をさらに備え、前記第１の蓋部材は、前記交換レンズを宙づり状態で固定する。
【０００９】
また、本開示に係る交換レンズ収納ケースは、上記開示において、前記第１の蓋部材は、前記キャップをガイドするとともに、回転止めを行うリブが設けられる。
【００１０】
また、本開示に係る交換レンズ収納ケースは、上記開示において、前記ケース本体部の底面部と前記交換レンズの他端側との間に配置した緩衝部材をさらに備える。
【００１１】
また、本開示に係る交換レンズ収納ケースは、上記開示において、前記緩衝部材は、前記ケース本体部の底面部と前記交換レンズの他端部との間の寸法に基づいて、所定量折りたたむことによって寸法を可変とする形状をなす。
【００１２】
また、本開示に係る交換レンズ収納ケースは、前記交換レンズの一端部に対して装着自在なキャップと、前記キャップを内部で収容することができ、かつ、前記ケース本体部の開口部に対して着脱自在な第１の蓋部材と、前記ケース本体部に設けられ、前記第１の蓋部材に向けて前記交換レンズを付勢する緩衝部材と、を備える。
【００１３】
また、本開示に係るキャップは、円環状をなし、交換レンズの一端部に対して嵌合する円環部と、前記円環部の外径より大きい外径を有する本体部と、を備え、前記本体部は、前記交換レンズを収容することができるケース本体部の開口部に対して着脱自在な第１の蓋部材に設けられた位置決め部であって、前記本体部を所定の位置へガイドし、かつ、前記本体部の回転止めを行うリブに嵌合する溝部を有する。
【００１４】
また、本開示に係る交換レンズ収納ケースシステムは、撮像装置に着脱自在な交換レンズと、前記交換レンズの一端部に装着されるキャップを用いて、前記交換レンズを収容する交換レンズ収容ケースであって、ケース本体部と、前記交換レンズの一端部が貫通する開口部と、該開口部の外周部に設けられていて前記交換レンズに押圧固定される受け部と、が形成されており、前記ケース本体部の開口部に位置決め固定される第１の蓋部材と、を備え、前記キャップを前記交換レンズに固定する際に、前記受け部が前記交換レンズと前記キャップとで挟み込まされるようにして固定される。
【発明の効果】
【００１５】
本開示によれば、交換レンズ収納ケースを小型化することができるという効果を奏する。
【図面の簡単な説明】
【００１６】
【図１】図１は、実施の形態１に係る交換レンズ収納ケースシステムの組立斜視図である。
【図２】図２は、実施の形態１に係る交換レンズ収納ケースシステムの概略構成を示す斜視図である。
【図３】図３は、図２のＩＩＩ−ＩＩＩ線断面図である。
【図４】図４は、レンズ収納ケースの上面図である。
【図５】図５は、図４のＶ−Ｖ線断面図である。
【図６】図６は、緩衝部材の上面図である。
【図７】図７は、図６のＶＩＩ−ＶＩＩ線断面図である。
【図８】図８は、図７の状態を垂直方向に圧縮した圧縮図である。
【図９】図９は、第１の蓋部材の上面図である。
【図１０】図１０は、図９のＸ−Ｘ線断面図である。
【図１１】図１１は、マウントキャップの上面図である。
【図１２】図１２は、マウントキャップの側面図である。
【図１３】図１３は、マウントキャップを模式的に示す斜視図である。
【図１４】図１４は、マウントキャップを第１の蓋部材に収容する際の斜視図である。
【図１５】図１５は、マウントキャップを第１の蓋部材に収容した際の斜視図である。
【図１６】図１６は、図１５のＸＶＩ−ＸＶＩ線断面図である。
【図１７】図１７は、実施の形態１の変形例１に係る交換レンズ収納ケースシステムの断面図である。
【図１８】図１８は、実施の形態２に係る交換レンズ収納ケースシステムの組立斜視図である。
【図１９】図１９は、実施の形態１に係る交換レンズ収納ケースシステムの概略構成を示す斜視図である。
【図２０】図２０は、図１９のＸＸ−ＸＸ線断面図である。
【図２１】図２１は、第１の蓋部材の上面図である。
【図２２】図２２は、ＸＸＩＩ−ＸＸＩＩ線断面図である。
【図２３】図２３は、マウントキャップを第１の蓋部材に収容する際の斜視図である。
【図２４】図２４は、マウントキャップを第１の蓋部材に収容する際の断面図である。
【図２５】図２５は、マウントキャップを第１の蓋部材に収容した際の斜視図である。
【図２６】図２６は、実施の形態１,２の変形例に係る緩衝部材を模式的に説明する断面図である。
【発明を実施するための形態】
【００１７】
以下、本開示を実施するための形態を図面とともに詳細に説明する。なお、以下の実施の形態により本開示が限定されるものではない。また、以下の説明において参照する各図は、本開示の内容を理解でき得る程度に形状、大きさ、および位置関係を概略的に示してあるに過ぎない。即ち、本開示は、各図で例示された形状、大きさおよび位置関係のみに限定されるものではない。さらに、以下の説明では、撮像装置（本体部）に対して着脱自在な交換レンズを収容するレンズ収納ケースを例に説明する。
【００１８】
（実施の形態１）
〔レンズ収納ケースシステムの構成〕
図１は、実施の形態１に係る交換レンズ収納ケースシステムの組立斜視図である。図２は、実施の形態１に係る交換レンズ収納ケースシステムの概略構成を示す斜視図である。図３は、図２のＩＩＩ−ＩＩＩ線断面図である。
【００１９】
図１〜図３に示す交換レンズ収納ケースシステム１は、交換レンズ収容ケース２と、交換レンズ収容ケース２に収容することができる交換レンズ４００と、を備える。また、交換レンズ収容ケース２は、ケース本体部１００と、緩衝部材２００と、レンズキャップ３００と、第１の蓋部材５００と、マウントキャップ６００と、を備える。
【００２０】
〔ケース本体部の構成〕
まず、ケース本体部１００の構成について説明する。
図４は、ケース本体部１００の上面図である。図５は、図４のＶ−Ｖ線断面図である。
【００２１】
図１〜図５に示すケース本体部１００は、透明な部材を用いて形成される。ケース本体部１００は、長手方向（深さ方向）の長さＬ１が交換レンズ４００の長手方向（光軸方向）の長さＬ２より大きく形成される。また、ケース本体部１００は、有底の矩形状をなす筐体部１１０と、筒状をなし、第１の蓋部材５００が嵌合する嵌合部１２０と、を有する。筐体部１１０および嵌合部１２０は、射出成型等によって一体的に形成される。
【００２２】
筐体部１１０は、底面部１１１に、開口部１３０に向けて凸状をなし、後述する緩衝部材２００が内部で移動することを規制する規制部１１２を有する。なお、規制部１１２の形状は、適宜変更することができ、例えば円環状であってもよい。なお、実施の形態１では、筐体部１１０の形状が矩形状であるが適宜変更することができ、嵌合部１２０と同じ形状、例えば筒状であってもよい。また、ケース本体部１００を形成する部材は、透明な部材である必要がなく、適宜変更することができる。また、ケース本体部１００の長手方向の長さＬ１は、交換レンズ４００の長手方向の長さＬ２より大きければよく、適宜変更することができる。
【００２３】
嵌合部１２０は、開口部１３０の外周側に設けられ、第１の蓋部材５００が嵌合自在な溝部１２１を有する。
【００２４】
〔緩衝部材の構成〕
次に、緩衝部材２００の構成について説明する。
図６は、緩衝部材２００の上面図である。図７は、図６のＶＩＩ−ＶＩＩ線断面図である。図８は、図７の状態を垂直方向に圧縮した圧縮図である。
【００２５】
図１〜図３および図６〜図８に示すように、緩衝部材２００は、ケース本体部１００の底面部１１１と交換レンズ４００の他端側（レンズ側）との間に配置される。緩衝部材２００は、ケース本体部１００の底面部１１１と交換レンズ４００の他端部（レンズ側）との間の寸法に基づいて、所定量折りたたむことによって寸法を可変とする形状をなす。具体的には、緩衝部材２００は、蛇腹状をなし、ケース本体部１００の底面部１１１に密着させて設けられる。緩衝部材２００は、ケース本体部１００に交換レンズ４００が収容された際に、交換レンズ４００を第１の蓋部材５００に向けて付勢する。緩衝部材２００は、第１のレンズ受け部２１０と、第２のレンズ受け部２２０と、孔部２３０と、を有する。
【００２６】
第１のレンズ受け部２１０および第２のレンズ受け部２２０の各々は、緩衝部材２００の上下にそれぞれ設けられる。第１のレンズ受け部２１０は、筒状をなし、内径Ｒ１がφ１である。また、第２のレンズ受け部２２０は、筒状をなし、内径Ｒ２がφ２（φ２＞φ１）である。
【００２７】
このように構成された緩衝部材２００は、後述する交換レンズ４００に装着されたレンズキャップ３００が配置され、かつ、交換レンズ４００がケース本体部１００内で移動することを防止する。この場合において、緩衝部材２００は、交換レンズ４００を第１の蓋部材５００に向けて付勢するとき、孔部２３０から空気が抜けることによって圧縮される（図７→図８）。この結果、緩衝部材２００は、緩衝材として機能する。なお、図６〜図８では、孔部２３０の数が一つであったが、適宜変更することができ、例えば複数箇所に設けてもよい。
【００２８】
〔レンズキャップの構成〕
次に、レンズキャップ３００について説明する。
図１〜図３に示すレンズキャップ３００は、円盤状をなし、交換レンズ４００の光軸方向（長手方向）における被写体側（レンズ側）の他端部４１０に対して着脱自在に装着される。レンズキャップ３００は、上述した緩衝部材２００の第１のレンズ受け部２１０または第２のレンズ受け部２２０に収容される。なお、レンズキャップ３００の直径は、装着される交換レンズ４００の口径によって適宜変更される。
【００２９】
〔交換レンズの構成〕
次に、交換レンズ４００について説明する。
図１〜図３に示す交換レンズ４００は、図示しない撮像装置に対して着脱自在である。交換レンズ４００は、交換レンズ４００は、光軸方向（長手方向）における被写体側（レンズ側）の他端部４１０に対してレンズキャップ３００が着脱自在に装着される。また、交換レンズ４００は、光軸方向（長手方向）におけるマウント側の一端部４２０（以下、単に「マウント部４２０」という）に対して、後述するマウントキャップ６００が装着自在に装着される。
【００３０】
〔第１の蓋部材の構成〕
次に、第１の蓋部材５００の構成について説明する。
図９は、第１の蓋部材５００の上面図である。図１０は、図９のＸ−Ｘ線断面図である。
【００３１】
図１〜図３、図９および図１０に示す第１の蓋部材５００は、ケース本体部１００の開口部１３０に対して、着脱自在に装着される。第１の蓋部材５００は、交換レンズ４００の外径Ｄ１より大きい内径Ｄ２を有する。第１の蓋部材５００は、交換レンズ４００のマウント部４２０が貫通する開口部５１１と、開口部５１１の外周部に設けられていて交換レンズ４００に押圧固定される受け部５１０と、が形成されており、ケース本体部１００の開口部１３０に位置決め固定される。また、第１の蓋部材５００は、ケース本体部１００に位置決めされるための位置決め部５２０を有する。さらに、第１の蓋部材５００は、マウントキャップ６００を収容する収容部５３０を有する。受け部５１０、位置決め部５２０および収容部５３０は、射出成型等によって一体的に形成される。
【００３２】
受け部５１０は、交換レンズ４００の外径Ｄ１より大きい外径Ｄ４を有する円環状をなす。受け部５１０は、交換レンズ４００のマウント部４２０が貫通自在な開口部５１１を有する。受け部５１０は、交換レンズ４００が当接して固定される。開口部５１１は、内径が後述するマウントキャップ６００の円環部６２０の外径と略一致する大きさを有する。また、受け部５１０は、裏面側に交換レンズ４００が当接した場合に、交換レンズ４００の移動を規制する円環状の規制部５１２を有する。規制部５１２は、内径が交換レンズ４００のマウント部４２０の外径と略一致する大きさを有する。
【００３３】
位置決め部５２０は、受け部５１０の裏面側に設けられ、ケース本体部１００に嵌合する。位置決め部５２０は、筒状をなし、内周側にケース本体部１００の溝部１０４に嵌合する溝部５２１を有する。位置決め部５２０は、ケース本体部１００の外径Ｄ３と略一致する内径を有する。
【００３４】
収容部５３０は、筒状をなし、受け部５１０の表面側に設けられる。収容部５３０は、後述するマウントキャップ６００を収容する。収容部５３０は、マウントキャップ６００を所定の位置へガイドするとともに、マウントキャップ６００の回転止めを行うリブ５４０を有する。リブ５４０は、収容部５３０の内部に所定の間隔、例えば９０度間隔で設けられる。リブ５４０は、外縁から収容部５３０の中心に向けて傾斜して設けられる。
【００３５】
〔マウントキャップの構成〕
次に、マウントキャップ６００の構成について説明する。
図１１は、マウントキャップ６００の上面図である。図１２は、マウントキャップ６００の側面図である。図１３は、マウントキャップ６００を模式的に示す斜視図である。なお、実施の形態１では、マウントキャップ６００がキャップとして機能する。
【００３６】
図１１〜図１３に示すマウントキャップ６００は、交換レンズ４００のマウント部４２０に着脱自在に装着される。マウントキャップ６００は、本体部６１０と、円環部６２０と、を有する。本体部６１０および円環部６２０は、射出成型等によって一体的に形成される。
【００３７】
本体部６１０は、側面に第１の蓋部材５００のリブ５４０に嵌合する溝部６３０が所定の間隔で設けられている。
【００３８】
円環部６２０は、第１の蓋部材５００の開口部５１１の内径と略一致する外径を有する。円環部６２０は、第１の蓋部材５００の開口部５１１に挿入自在であり、交換レンズ４００のマウント部４２０に装着自在に装着される。
【００３９】
このように構成されたマウントキャップ６００は、図１４〜図１６に示すように、第１の蓋部材５００の開口部５１１に挿入する。この場合、マウントキャップ６００は、溝部６３０が第１の蓋部材５００のリブ５４０に嵌合することによって移動が規制される。
【００４０】
〔交換レンズ収納ケースシステムの収容方法〕
次に、上述した図１を用いて、交換レンズ収納ケースシステム１による交換レンズ４００の収容方法について説明する。
【００４１】
まず、ユーザは、交換レンズ４００の他端部４１０にレンズキャップ３００を装着した後に、交換レンズ４００のマウント部４２０を第１の蓋部材５００の開口部５１１に貫通させて交換レンズ４００のマウント部４２０を第１の蓋部材５００の受け部５１０に当接させる。
【００４２】
続いて、ユーザは、交換レンズ４００のマウント部４２０が第１の蓋部材５００の開口部５１１に貫通した状態で、マウントキャップ６００を交換レンズ４００のマウント部４２０に対して回転させながら嵌合させる。この場合、ユーザは、交換レンズ４００のマウント部４２０を開口部５１１から挿入させ、かつ、マウントキャップ６００と交換レンズ４００とによって第１の蓋部材５００の受け部５１０を挟み込んだ状態で固定することで交換レンズ４００を第１の蓋部材５００の受け部５１０に押圧しながら固定する。これにより、交換レンズ４００を宙づり状態で固定することができる。
【００４３】
その後、ユーザは、第１の蓋部材５００に固定された交換レンズ４００を、緩衝部材２００が収容されたケース本体部１００に向けて押しながら収容する。
【００４４】
そして、ユーザは、第１の蓋部材５００を回転することによって第１の蓋部材５００の位置決め部５２０とケース本体部１００の嵌合部１０２とを嵌合させる。この場合、緩衝部材２００が第１の蓋部材５００に向けて交換レンズ４００を他端部４１０から付勢する。この結果、宙づり状態の交換レンズ４００は、第１の蓋部材５００と緩衝部材２００とによって把持された状態となることによって、ケース本体部１００で移動することが規制される。これにより、交換レンズ４００に対する衝撃を緩衝することができる。
【００４５】
以上説明した実施の形態１によれば、交換レンズ４００をケース本体部１００に収容する場合、マウント部４２０を第１の蓋部材５００の開口部５１１に挿入させ、かつ、マウントキャップ６００と交換レンズ４００とによって第１の蓋部材５００の受け部５１０を挟み込んだ状態でマウントキャップ６００をマウント部４２０に装着することによって、交換レンズ４００を第１の蓋部材５００の受け部５１０に押圧して固定するので、交換レンズ４００の着脱が容易であり、かつ、小型化で安全に交換レンズ４００を運搬することができる。
【００４６】
また、実施の形態１によれば、ケース本体部１００の長手方向の長さが交換レンズ４００の長手方向の長さより大きいので、宙づり状態でケース本体部１００内に収容することができる。
【００４７】
また、実施の形態１によれば、第１の蓋部材５００にマウントキャップ６００を所定の位置へガイドし、かつ、マウントキャップ６００の回転止めを行うリブ５４０を設けたので、マウントキャップ６００が外力によって回転することを防止することができる。
【００４８】
また、実施の形態１によれば、第１の蓋部材５００の受け部５１０の裏面側に交換レンズ４００の移動を規制する規制部５１２を設けたので、交換レンズ４００がケース本体部１００内で移動することを防止することができる。
【００４９】
また、実施の形態１によれば、緩衝部材２００をケース本体部１００の内部に設け、交換レンズ４００を第１の蓋部材５００に向けて付勢し、第１の蓋部材５００と緩衝部材２００とによって把持する状態とすることによって、ケース本体部１００で移動することが規制することで、交換レンズ４００に対する衝撃を緩衝することができる。
【００５０】
（実施の形態１の変形例１）
次に、上述した実施の形態１の変形例１について説明する。実施の形態１の変形例１は、上述した実施の形態１に係るケース本体部１００および第１の蓋部材５００の構成が異なる。さらに、実施の形態１の変形例１は、上述した実施の形態１に係る交換レンズ収納ケースシステム１の構成に加えて、第２の蓋部材をさらに備える。以下においては、上述した実施の形態１に係る交換レンズ収納ケースシステム１と同一の構成には同一の符号を付して詳細な説明は省略する。
【００５１】
〔レンズ収納ケースシステムの構成〕
図１７は、実施の形態１の変形例１に係る交換レンズ収納ケースシステムの断面図である。図１７に示す交換レンズ収納ケースシステム１Ａは、上述した実施の形態１に係るケース本体部１００および第１の蓋部材５００に換えて、ケース本体部１００Ａおよび第１の蓋部材５００Ａを備える。さらに、交換レンズ収納ケースシステム１Ａは、ケース本体部１００Ａに第１の蓋部材５００Ａを固定する第２の蓋部材７００をさらに備える。
【００５２】
〔ケース本体部の構成〕
まず、ケース本体部１００Ａの構成について説明する。
図１７に示すケース本体部１００Ａは、上述した実施の形態１に係るケース本体部１００の構成に加えて、開口部１３０の内周側に、後述する第１の蓋部材５００Ａが嵌合する溝部１４０Ａがさらに設けられている。
【００５３】
〔第１の蓋部材の構成〕
次に、第１の蓋部材５００Ａの構成について説明する。
図１７に示す第１の蓋部材５００Ａは、受け部５１０と、位置決め部５２０Ａと、収容部５３０と、を有する。受け部５１０、位置決め部５２０Ａおよび収容部５３０は、射出成型等によって一体的に形成される。
【００５４】
位置決め部５２０Ａは、受け部５１０の裏面側に設けられ、ケース本体部１００Ａに嵌合する。位置決め部５２０Ａは、筒状をなし、内周側にケース本体部１００Ａの溝部１４０Ａに嵌合する溝部５２１Ａを有する。位置決め部５２０Ａは、ケース本体部１００Ａの内径より小さい外径を有する。
【００５５】
〔第２の蓋部材の構成〕
次に、第２の蓋部材７００の構成について説明する。
第２の蓋部材７００は、第１の蓋部材５００Ａをケース本体部１００Ａに固定する。第２の蓋部材７００は、ケース本体部１００Ａの溝部１４０Ａに嵌合する嵌合部７１０を有する。第２の蓋部材７００は、ケース本体部１００Ａの溝部１４０Ａに嵌合することによって、第１の蓋部材５００Ａをケース本体部１００Ａに固定する。
【００５６】
以上説明した実施の形態１の変形例１によれば、上述した実施の形態１と同様の効果を有するとともに、第２の蓋部材７００が第１の蓋部材５００Ａを覆うように第１の蓋部材５００Ａをケース本体部１００Ａに固定するので、搬送時に第１の蓋部材５００Ａに衝撃が加わることを防止することができる。
【００５７】
（実施の形態２）
次に、実施の形態２について説明する。実施の形態１では、交換レンズ４００とマウントキャップ６００とによって第１の蓋部材５００を挟み込んだ状態でケース本体部１００に収容していたが、実施の形態２では、第１の蓋部材と緩衝部材とによって交換レンズを把持する。以下においては、上述した実施の形態１に係る交換レンズ収納ケースシステム１と同一の構成には同一の符号を付して詳細な説明は適宜省略する。
【００５８】
〔交換レンズ収納ケースシステムの構成〕
図１８は、実施の形態２に係る交換レンズ収納ケースシステムの組立斜視図である。図１９は、図１９は、実施の形態１に係る交換レンズ収納ケースシステムの概略構成を示す斜視図である。図２０は、図１９のＸＸ−ＸＸ線断面図である。
【００５９】
図１８〜図２０に示す交換レンズ収納ケースシステム１Ｂは、上述した交換レンズ収容ケース２に換えて、レンズ収容ケース２Ｂを備える。レンズ収容ケース２Ｂは、上述した実施の形態１に係る交換レンズ収容ケース２のマウントキャップ６００および第１の蓋部材５００に換えて、マウントキャップ６００Ｂおよび第１の蓋部材５００Ｂを備える。さらに、レンズ収容ケース２Ｂは、マウントキャップ受け部８００Ｂをさらに備える。
【００６０】
〔マウントキャップの構成〕
まず、マウントキャップ６００Ｂの構成について説明する。
マウントキャップ６００Ｂは、有底の筒状をなす。マウントキャップ６００は、交換レンズ４００のマウント部４２０に着脱自在に固定される。
【００６１】
〔第１の蓋部材の構成〕
次に、第１の蓋部材５００Ｂの構成について説明する。
図２１は、第１の蓋部材５００Ｂの上面図である。図２２は、ＸＸＩＩ−ＸＸＩＩ線断面図である。
【００６２】
図１８〜図２２に示す第１の蓋部材５００Ｂは、マウントキャップ６００Ｂが挿入されたマウントキャップ受け部８００Ｂを収容するとともに、ケース本体部１００の溝部１２１に嵌合して固定される。第１の蓋部材５００Ｂは、マウントキャップ６００Ｂおよびマウントキャップ受け部８００Ｂを収容する収容部５１０Ｂと、ケース本体部１００の溝部１２１に嵌合する溝部５２１が設けられた嵌合部５２０Ｂと、を有する。収容部５１０Ｂおよび嵌合部５２０Ｂは、射出成型等によって一体的に形成される。
【００６３】
〔マウントキャップ受け部の構成〕
次に、マウントキャップ受け部８００Ｂの構成について説明する。
図１８〜図２２に示すマウントキャップ受け部８００Ｂは、弾性部材で形成され、有底の筒状をなす。マウントキャップ受け部８００Ｂは、第１の蓋部材５００Ｂに対して接着される。マウントキャップ受け部８００Ｂは、マウントキャップ６００Ｂを収容する収容部８１０Ｂを有する。収容部８１０Ｂは、マウントキャップ６００Ｂの外径と略一致する内径を有する。さらに、収容部８１０Ｂは、鉛直方向の高さＤ２１がマウントキャップ６００Ｂの厚みと略一致する。
【００６４】
このように構成された第１の蓋部材５００Ｂおよびマウントキャップ受け部８００Ｂは、図２３〜図２５に示すように、マウントキャップ６００Ｂがマウントキャップ受け部８００Ｂの収容部８１０Ｂに挿入される。そして、ユーザが、第１の蓋部材５００Ｂをケース本体部１００の溝部１２１に嵌合させることによって第１の蓋部材５００Ｂをケース本体部１００に固定する。これにより、マウントキャップ受け部８００Ｂは、第１の蓋部材５００Ｂに接着されることで、緩衝効果を発揮する。即ち、実施の形態２によれば、第１の蓋部材５００Ｂおよびマウントキャップ受け部８００Ｂを用いることによって、どちらか方方向の衝撃吸収だけでなく、あらゆる方向からの衝撃を吸収することができる。
【００６５】
〔交換レンズ収納ケースシステムの収容方法〕
次に、上述した図１８を用いて、交換レンズ収納ケースシステム１による交換レンズ４００の収容方法について説明する。
【００６６】
まず、ユーザは、交換レンズ４００にレンズキャップ３００およびマウントキャップ６００Ｂを装着した後に、交換レンズ４００をケース本体部１００に収容された緩衝部材２００の第１のレンズ受け部２０１に、レンズキャップ３００を向けて載置する。
【００６７】
続いて、ユーザは、第１の蓋部材５００Ｂに接着されたマウントキャップ受け部８００Ｂの収容部８１０Ｂにマウントキャップ６００Ｂに挿入し、第１の蓋部材５００Ｂを押圧しながら回転させることによって第１の蓋部材５００Ｂをケース本体部１００に固定させる。この結果、交換レンズ４００は、第１の蓋部材５００Ｂと緩衝部材２００とによって把持された状態となることによって、ケース本体部１００で移動することが規制される。さらに、交換レンズ４００に対する外部からの衝撃は、第１の蓋部材５００Ｂおよびマウントキャップ受け部８００Ｂによって吸収される。これにより、交換レンズ４００に対する衝撃を緩衝することができる。
【００６８】
以上説明した実施の形態２によれば、交換レンズ４００の着脱が容易であり、かつ、小型化で安全に交換レンズ４００を運搬することができる。
【００６９】
（実施の形態１,２の変形例）
上述した実施の形態１,２では、緩衝部材２００が蛇腹状であったが、適宜変更することができる。図２６は、実施の形態１,２の変形例に係る緩衝部材を模式的に説明する断面図である。
【００７０】
図２６に示す緩衝部材２００Ｃは、第１のレンズ受け部２０１および第２のレンズ受け部２０２に加えて、第１のレンズ受け部２０１をケース本体部１００の開口部１０３に向けて付勢する付勢部材２０４をさらに備える。付勢部材２０４は、例えばバネ等を用いて実現される。
【００７１】
以上説明した実施の形態１,２の変形例によれば、交換レンズ４００の着脱が容易であり、かつ、小型化で安全に交換レンズ４００を運搬することができる。
【００７２】
（その他の実施の形態）
上述した本開示の実施の形態に係る交換レンズ収納ケースシステムに開示されている複数の構成要素を適宜組み合わせることによって、種々の発明を形成することができる。例えば、上述した本開示の実施の形態に係る交換レンズ収納ケースシステムに記載した全構成要素からいくつかの構成要素を削除してもよい。さらに、上述した本開示の実施の形態に係る交換レンズ収納ケースシステムで説明した構成要素を適宜組み合わせてもよい。
【００７３】
また、本開示の一実施の形態に係る交換レンズ収納ケースシステムでは、上述してきた「部」は、「手段」や「部材」などに読み替えることができる。例えば、緩衝部材は、伸縮部や伸縮手段に読み替えることができる。
【００７４】
以上、本願の実施の形態のいくつかを図面に基づいて詳細に説明したが、これらは例示であり、本発明の開示の欄に記載の態様を始めとして、当業者の知識に基づいて種々の変形、改良を施した他の形態で本発明を実施することが可能である。
【００７５】
なお、本技術は以下のような構成も取ることができる。
（１）
交換レンズを収容することができるケース本体部と、
前記ケース本体部の開口部に対して、装着自在な第１の蓋部材と、
前記交換レンズの一端部に対して装着自在なキャップと、
を備え、
前記第１の蓋部材は、
前記一端部が挿入自在な開口部を有し、前記交換レンズと当接する受け部を含み、
前記交換レンズを前記ケース本体部に収容する場合、前記一端部を前記受け部の開口部に挿入させ、かつ、前記キャップと前記交換レンズとによって前記受け部を挟み込んだ状態で前記キャップを前記一端部に装着することによって、前記交換レンズを前記受け部に固定する、
レンズ収納ケース。
（２）
（１）に記載のレンズ収納ケースであって、
前記ケース本体部は、長手方向の長さが前記交換レンズの長手方向の長さより大きい、
レンズ収納ケース。
（３）
（１）または（２）に記載のレンズ収納ケースであって、
前記第１の蓋部材は、
前記キャップを所定の位置へガイドし、かつ、前記キャップの回転を規制するリブをさらに含む、
レンズ収納ケース。
（４）
（１）〜（３）のいずれか一つに記載のレンズ収納ケースであって、
前記第１の蓋部材は、
前記受け部の裏面側に設けられ、前記交換レンズの移動を規制する規制部をさらに含む、
レンズ収納ケース。
（５）
（１）〜（４）のいずれか１つに記載のレンズ収納ケースであって、
前記ケース本体部の内部に設けられ、前記交換レンズを前記第１の蓋部材に向けて付勢する緩衝部材をさらに備える、
レンズ収納ケース。
（６）
（５）に記載のレンズ収納ケースであって、
前記緩衝部材は、前記交換レンズの他端部を収容し、かつ、前記交換レンズの移動を規制する収容部をさらに有する、
レンズ収納ケース。
（７）
（５）または（６）に記載のレンズ収納ケースであって、
前記緩衝部材は、蛇腹形状をなす、
レンズ収納ケース。
（８）
（５）または（６）に記載のレンズ収納ケースであって、
前記緩衝部材は、バネである、
レンズ収納ケース。
（９）
（１）〜（８）のいずれか一つに記載のレンズ収納ケースであって、
前記第１の蓋部材の外径より大きく内径を有し、前記第１の蓋部材が前記ケース本体部の開口部に嵌合した状態で前記ケース本体部の外周側に嵌合する第２の蓋部材をさらに備える、
レンズ収納ケース。
（１０）
交換レンズを収容することができるケース本体部と、
前記交換レンズの一端部に対して装着自在なキャップと、
前記キャップを内部で収容することができ、かつ、前記ケース本体部の開口部に対して着脱自在な第１の蓋部材と、
前記ケース本体部に設けられ、前記第１の蓋部材に向けて前記交換レンズを付勢する緩衝部材と、
を備える、
レンズ収納ケース。
（１１）
円環状をなし、交換レンズの一端部に対して嵌合する円環部と、
前記円環部の外径より大きい外径を有する本体部と、
を備え、
前記本体部は、前記交換レンズを収容することができるケース本体部の開口部に対して着脱自在な第１の蓋部材に設けられたリブであって、前記本体部を所定の位置へガイドし、かつ、前記本体部の回転を規制するリブに嵌合する溝部を有する、
キャップ。
（１２）
撮像装置に着脱自在な交換レンズと、
前記交換レンズを収容することができるケース本体部と、
前記ケース本体部の開口部に対して、装着自在な第１の蓋部材と、
前記交換レンズの一端部に対して装着自在なキャップと、
を備え、
前記第１の蓋部材は、
前記一端部が挿入自在な開口部を有し、前記交換レンズと当接する受け部を含み、
前記交換レンズを前記ケース本体部に収容する場合、前記一端部を前記受け部の開口部に挿入させ、かつ、前記キャップと前記交換レンズとによって前記受け部を挟み込んだ状態で前記キャップを前記一端部に装着することによって、前記交換レンズを前記受け部に固定する、
レンズ収納ケースシステム。
【符号の説明】
【００７６】
１,１Ａ,１Ｂ・・・交換レンズ収納ケースシステム；２，２Ｂ・・・交換レンズ収納ケース；１００,１００Ａ・・・ケース本体部；５２０,５２０Ａ・・・位置決め部；１０２,１２０,５３０Ｂ,７１０・・・嵌合部；１０３,１３０,５１１・・・開口部；１０４,１２１,１４０Ａ,５２１,５２１Ａ・,６３０・・溝部；１１０・・・筐体部；１１１・・・底面部；１１２・・・規制部；２００,２００Ｃ・・・緩衝部材；  ２０１,２１０・・・第１のレンズ受け部；２０２,２２０・・・第２のレンズ受け部；２０４・・・付勢部材；２３０・・・孔部；３００・・・レンズキャップ；４００・・・交換レンズ；４１０・・・他端部；４２０・・・一端部；５００,５００Ａ,５００Ｂ・・・第１の蓋部材；５１０,５１０Ｂ・・・受け部；５１２・・・規制部；５２０Ｂ,５３０,８１０Ｂ・・・収容部；５４０・・・位置決め部；６００,６００Ｂ・・・マウントキャップ；６１０・・・本体部；６２０・・・円環部；７００・・・第２の蓋部材；８００Ｂ・・・マウントキャップ受け部
【図１】
2020046515.tif 000003
【図２】
2020046515.tif 000004
【図３】
2020046515.tif 000005
【図４】
2020046515.tif 000006
【図５】
2020046515.tif 000007
【図６】
2020046515.tif 000008
【図７】
2020046515.tif 000009
【図８】
2020046515.tif 000010
【図９】
2020046515.tif 000011
【図１０】
2020046515.tif 000012
【図１１】
2020046515.tif 000013
【図１２】
2020046515.tif 000014
【図１３】
2020046515.tif 000015
【図１４】
2020046515.tif 000016
【図１５】
2020046515.tif 000017
【図１６】
2020046515.tif 000018
【図１７】
2020046515.tif 000019
【図１８】
2020046515.tif 000020
【図１９】
2020046515.tif 000021
【図２０】
2020046515.tif 000022
【図２１】
2020046515.tif 000023
【図２２】
2020046515.tif 000024
【図２３】
2020046515.tif 000025
【図２４】
2020046515.tif 000026
【図２５】
2020046515.tif 000027
【図２６】
2020046515.tif 000028